(57)【要約】【課題】作業とその作業が行われる時期とを示す少なくとも１つの情報から特定される、作業とその作業が行われる時期との関係についての特徴のバリエーションの幅を従来よりも広げることができる情報処理装置及びプログラムを提供する。【解決手段】作業構造情報生成部２６が、少なくとも１つの作業情報に基づいて、少なくとも１つの作業要素と、それぞれが作業要素のうちの少なくとも１つに関連付けられている、作業が行われる時期を示す少なくとも１つの時期要素と、それぞれが時期要素のうちの少なくとも１つに関連付けられている、関連付けられている各時期要素に対応する時期を代表する時期を示す少なくとも１つの代表時期要素と、を含む作業構造情報を生成する。特徴情報出力部３２が、少なくとも１つの作業構造情報に基づいて生成される、作業とその作業が行われる時期との関係の特徴を表す特徴情報を出力する。【選択図】図２
2011003033.tif 000002
【特許請求の範囲】
【請求項１】
作業と当該作業が行われる時期とを示す少なくとも１つの作業情報に基づいて、それぞれが前記作業を示す少なくとも１つの作業要素と、それぞれが前記作業要素のうちの少なくとも１つに関連付けられている、当該関連付けられている各作業要素に対応する作業が行われる時期を示す少なくとも１つの時期要素と、それぞれが前記時期要素のうちの少なくとも１つに関連付けられている、当該関連付けられている各時期要素に対応する時期を代表する時期を示す少なくとも１つの代表時期要素と、を含む、作業構造情報を生成する作業構造情報生成手段と、
前記作業構造情報生成手段により生成される少なくとも１つの作業構造情報に基づいて生成される、作業と当該作業が行われる時期との関係の特徴を表す特徴情報を出力する特徴情報出力手段と、
を含むことを特徴とする情報処理装置。
【請求項２】
前記作業構造情報生成手段が、関連付けられている作業要素が示す作業が行われる期間が共通することを示す期間共通要素を少なくとも１つ含み、前記各時期要素が、少なくとも１つの前記期間共通要素に関連付けられており、前記各期間共通要素が、行われる期間が共通する作業を示す少なくとも１つの前記作業要素に関連付けられている、前記作業構造情報を生成する、
ことを特徴とする請求項１に記載の情報処理装置。
【請求項３】
前記作業構造情報生成手段が、それぞれが前記代表時期要素の少なくとも１つに関連付けられる、当該代表時期要素それぞれが示す時期を代表する時期に対応する要素を含む前記作業構造情報を生成する、
ことを特徴とする請求項１又は２に記載の情報処理装置。
【請求項４】
作業と、当該作業が行われる時期と、少なくとも１つの当該作業の詳細と、を示す少なくとも１つの作業情報に基づいて、それぞれが前記作業の詳細を示す少なくとも１つの作業詳細要素と、それぞれが前記作業を示す少なくとも１つの作業要素と、それぞれが前記作業要素のうちの少なくとも１つに関連付けられている、当該関連付けられている各作業要素に対応する作業が行われる時期を示す少なくとも１つの時期要素と、を含み、前記各作業要素が、当該作業要素が示す作業の詳細を示す作業詳細要素のうちの少なくとも１つに関連付けられており、共通する作業の詳細を示す作業詳細要素同士が互いに予め定められた規則に従って関連付けられている、作業構造情報を生成する作業構造情報生成手段と、
前記作業構造情報生成手段により生成される少なくとも１つの作業構造情報に基づいて生成される、作業と当該作業が行われる時期との関係の特徴を表す特徴情報を出力する特徴情報出力手段と、
を含むことを特徴とする情報処理装置。
【請求項５】
作業と当該作業が行われる時期とを示す少なくとも１つの作業情報に基づいて、それぞれが前記作業を示す少なくとも１つの作業要素と、それぞれが前記作業要素のうちの少なくとも１つに関連付けられている、当該関連付けられている各作業要素に対応する作業が行われる時期を示す少なくとも１つの時期要素と、それぞれが前記時期要素のうちの少なくとも１つに関連付けられている、当該関連付けられている各時期要素に対応する時期を代表する時期を示す少なくとも１つの代表時期要素と、を含む、作業構造情報を生成する作業構造情報生成手段、
前記作業構造情報生成手段により生成される少なくとも１つの作業構造情報に基づいて生成される、作業と当該作業が行われる時期との関係の特徴を表す特徴情報を出力する特徴情報出力手段、
としてコンピュータを機能させることを特徴とするプログラム。
【請求項６】
作業と、当該作業が行われる時期と、少なくとも１つの当該作業の詳細と、を示す少なくとも１つの作業情報に基づいて、それぞれが前記作業の詳細を示す少なくとも１つの作業詳細要素と、それぞれが前記作業を示す少なくとも１つの作業要素と、それぞれが前記作業要素のうちの少なくとも１つに関連付けられている、当該関連付けられている各作業要素に対応する作業が行われる時期を示す少なくとも１つの時期要素と、を含み、前記各作業要素が、当該作業要素が示す作業の詳細を示す作業詳細要素のうちの少なくとも１つに関連付けられており、共通する作業の詳細を示す作業詳細要素同士が互いに予め定められた規則に従って関連付けられている、作業構造情報を生成する作業構造情報生成手段、
前記作業構造情報生成手段により生成される少なくとも１つの作業構造情報に基づいて生成される、作業と当該作業が行われる時期との関係の特徴を表す特徴情報を出力する特徴情報出力手段、
としてコンピュータを機能させることを特徴とするプログラム。
【発明の詳細な説明】
【技術分野】
【０００１】
本発明は、情報処理装置及びプログラムに関する。
【背景技術】
【０００２】
診療行為などの作業を、作業を行った時間と作業項目とにより管理するシステムが存在する。特許文献１には、診療行為を行った時間と診療項目とのマトリックス（行列）で診療行為を管理して、行列要素間の距離によって診療プロセスの類似度を判定するシステムが開示されている。特許文献２には、診療行為を行った時間と診療項目と量とで診療行為を管理したデータを用いてクリニカルパスの作成支援を行うシステムが開示されている。
【先行技術文献】
【特許文献】
【０００３】
【特許文献１】特開２００３−８５１９４号公報
【特許文献２】特開２００３−３３１０５５号公報
【発明の概要】
【発明が解決しようとする課題】
【０００４】
本発明は、作業とその作業が行われる時期とを示す少なくとも１つの情報から特定される、作業とその作業が行われる時期との関係についての特徴のバリエーションの幅を従来よりも広げることができる情報処理装置及びプログラムを提供することを目的とする。
【課題を解決するための手段】
【０００５】
請求項１に記載の発明は、情報処理装置であって、作業と当該作業が行われる時期とを示す少なくとも１つの作業情報に基づいて、それぞれが前記作業を示す少なくとも１つの作業要素と、それぞれが前記作業要素のうちの少なくとも１つに関連付けられている、当該関連付けられている各作業要素に対応する作業が行われる時期を示す少なくとも１つの時期要素と、それぞれが前記時期要素のうちの少なくとも１つに関連付けられている、当該関連付けられている各時期要素に対応する時期を代表する時期を示す少なくとも１つの代表時期要素と、を含む、作業構造情報を生成する作業構造情報生成手段と、前記作業構造情報生成手段により生成される少なくとも１つの作業構造情報に基づいて生成される、作業と当該作業が行われる時期との関係の特徴を表す特徴情報を出力する特徴情報出力手段と、を含むこととしたものである。
【０００６】
請求項２に記載の発明は、請求項１に記載の情報処理装置であって、前記作業構造情報生成手段が、関連付けられている作業要素が示す作業が行われる期間が共通することを示す期間共通要素を少なくとも１つ含み、前記各時期要素が、少なくとも１つの前記期間共通要素に関連付けられており、前記各期間共通要素が、行われる期間が共通する作業を示す少なくとも１つの前記作業要素に関連付けられている、前記作業構造情報を生成することとしたものである。
【０００７】
請求項３に記載の発明は、請求項１又は２に記載の情報処理装置であって、前記作業構造情報生成手段が、それぞれが前記代表時期要素の少なくとも１つに関連付けられる、当該代表時期要素それぞれが示す時期を代表する時期に対応する要素を含む前記作業構造情報を生成することとしたものである。
【０００８】
請求項４に記載の発明は、情報処理装置であって、作業と、当該作業が行われる時期と、少なくとも１つの当該作業の詳細と、を示す少なくとも１つの作業情報に基づいて、それぞれが前記作業の詳細を示す少なくとも１つの作業詳細要素と、それぞれが前記作業を示す少なくとも１つの作業要素と、それぞれが前記作業要素のうちの少なくとも１つに関連付けられている、当該関連付けられている各作業要素に対応する作業が行われる時期を示す少なくとも１つの時期要素と、を含み、前記各作業要素が、当該作業要素が示す作業の詳細を示す作業詳細要素のうちの少なくとも１つに関連付けられており、共通する作業の詳細を示す作業詳細要素同士が互いに予め定められた規則に従って関連付けられている、作業構造情報を生成する作業構造情報生成手段と、前記作業構造情報生成手段により生成される少なくとも１つの作業構造情報に基づいて生成される、作業と当該作業が行われる時期との関係の特徴を表す特徴情報を出力する特徴情報出力手段と、を含むこととしたものである。
【０００９】
請求項５に記載の発明は、プログラムであって、作業と当該作業が行われる時期とを示す少なくとも１つの作業情報に基づいて、それぞれが前記作業を示す少なくとも１つの作業要素と、それぞれが前記作業要素のうちの少なくとも１つに関連付けられている、当該関連付けられている各作業要素に対応する作業が行われる時期を示す少なくとも１つの時期要素と、それぞれが前記時期要素のうちの少なくとも１つに関連付けられている、当該関連付けられている各時期要素に対応する時期を代表する時期を示す少なくとも１つの代表時期要素と、を含む、作業構造情報を生成する作業構造情報生成手段、前記作業構造情報生成手段により生成される少なくとも１つの作業構造情報に基づいて生成される、作業と当該作業が行われる時期との関係の特徴を表す特徴情報を出力する特徴情報出力手段、としてコンピュータを機能させることとしたものである。
【００１０】
請求項６に記載の発明は、プログラムであって、作業と、当該作業が行われる時期と、少なくとも１つの当該作業の詳細と、を示す少なくとも１つの作業情報に基づいて、それぞれが前記作業の詳細を示す少なくとも１つの作業詳細要素と、それぞれが前記作業を示す少なくとも１つの作業要素と、それぞれが前記作業要素のうちの少なくとも１つに関連付けられている、当該関連付けられている各作業要素に対応する作業が行われる時期を示す少なくとも１つの時期要素と、を含み、前記各作業要素が、当該作業要素が示す作業の詳細を示す作業詳細要素のうちの少なくとも１つに関連付けられており、共通する作業の詳細を示す作業詳細要素同士が互いに予め定められた規則に従って関連付けられている、作業構造情報を生成する作業構造情報生成手段、前記作業構造情報生成手段により生成される少なくとも１つの作業構造情報に基づいて生成される、作業と当該作業が行われる時期との関係の特徴を表す特徴情報を出力する特徴情報出力手段、としてコンピュータを機能させることとしたものである。
【発明の効果】
【００１１】
請求項１，４，５，６に記載の発明によれば、作業とその作業が行われる時期とを示す少なくとも１つの情報から特定される、作業とその作業が行われる時期との関係についての特徴のバリエーションの幅を従来よりも広げることができる。
【００１２】
請求項２に記載の発明によれば、少なくとも１つの作業が行われる期間が共通するという特徴を特定することができる。
【００１３】
請求項３に記載の発明によれば、作業とその作業が行われる時期との関係についての特徴のバリエーションの幅を従来よりもさらに広げることができる。
【図面の簡単な説明】
【００１４】
【図１】本発明の一実施形態に係る情報処理装置のハードウェア構成の一例を示す図である。
【図２】本発明の一実施形態に係る情報処理装置により実現される機能の一例を示す機能ブロック図である。
【図３】診療プロセス情報のデータ構造の一例を示す図である。
【図４】診療情報のデータ構造の一例を示す図である。
【図５】診療構造基礎情報のデータ構造の一例を示す図である。
【図６】本実施形態に係る情報処理装置で行われる処理の流れの一例を示すフロー図である。
【図７】診療構造情報のデータ構造の一例を示す図である。
【図８】本実施形態に係る情報処理装置で行われる処理の流れの一例を示すフロー図である。
【図９】特徴情報のデータ構造の一例を示す図である。
【図１０】特徴表示画面の一例を示す図である。
【図１１】診療構造基礎情報のデータ構造の一例を示す図である。
【図１２】診療構造情報のデータ構造の一例を示す図である。
【図１３】特徴情報のデータ構造の一例を示す図である。
【発明を実施するための形態】
【００１５】
以下、本発明の一実施形態について図面に基づき詳細に説明する。
【００１６】
図１のハードウェア構成図に例示するように、本実施形態における情報処理装置１０は、例えば、制御部１２、記憶部１４、ユーザインタフェース（ＵＩ）部１６、を含んでいる。これらの要素は、バスなどを介して接続される。
【００１７】
制御部１２は、ＣＰＵ等のプログラム制御デバイスであり、情報処理装置１０にインストールされるプログラムに従って動作する。記憶部１４は、ＲＯＭやＲＡＭ等の記憶素子やハードディスクなどである。記憶部１４には、制御部１２によって実行されるプログラムなどが記憶される。また、記憶部１４は、制御部１２のワークメモリとしても動作する。ＵＩ部１６は、ディスプレイ、マイク、マウス、キーボードなどであり、利用者が行った操作の内容や、利用者が入力した音声を制御部１２に出力する。また、このＵＩ部１６は、制御部１２から入力される指示に従って情報を表示出力したり音声出力したりする。
【００１８】
図２は、本実施形態に係る情報処理装置１０により実現される機能の一例を示す機能ブロック図である。図２に例示するように、本実施形態では、情報処理装置１０は、例えば、プロセス情報記憶部２０、作業構造基礎情報記憶部２２、プロセス情報取得部２４、作業構造情報生成部２６、作業構造情報記憶部２８、特徴抽出部３０、特徴情報出力部３２、を含むものとして機能する。プロセス情報記憶部２０、作業構造基礎情報記憶部２２、作業構造情報記憶部２８は、記憶部１４を主として実現される。その他の要素は制御部１２を主として実現される。
【００１９】
これらの要素は、コンピュータである情報処理装置１０にインストールされたプログラムを、情報処理装置１０の制御部１２で実行することにより実現されている。このプログラムは、例えば、ＣＤ−ＲＯＭ、ＤＶＤ−ＲＯＭなどのコンピュータ可読な情報伝達媒体を介して、あるいは、インターネットなどの通信手段を介して情報処理装置１０に供給される。
【００２０】
プロセス情報記憶部２０には、予め、プロセス情報が少なくとも１つ記憶されている。各プロセス情報は、少なくとも１つの作業情報を含んでいる。そして、各作業情報は、作業とその作業が行われる時期とを示している。そして、プロセス情報は、そのプロセス情報に含まれる各作業情報が示す一連の作業を示している。本実施形態では、プロセス情報記憶部２０には、例えば、図３に例示する診療プロセス情報３４が記憶されている。図３に例示するように、診療プロセス情報３４は、少なくとも１つの診療情報３６を含んでいる。なお、診療プロセス情報３４が、患者などの利用者を示す情報と関連づけられていてもよい。図４は、診療情報３６のデータ構造の一例を示す図である。図４に例示するように、診療情報３６は、診療行為を示す（例えば、診療行為のＩＤや名称などを示す）診療行為情報３８と、その診療行為が行われる時期（例えば、日時）を示す診療時期情報４０と、その診療行為の詳細な内容や、その診療行為において投与される薬剤のＩＤや名称などを示す少なくとも１つの診療明細情報４２とを含む。診療情報３６に含まれる診療行為情報３８の値としては、具体的には、例えば、「点滴」などがある。また、その診療情報３６に含まれる３つの診療明細情報４２の値としては、具体的には、例えば、「薬剤Ａ」、「薬剤Ｂ」、及び、「薬剤Ｃ」などがある。この診療情報３６は、例えば、点滴の際に、薬剤Ａ、薬剤Ｂ及び薬剤Ｃが投与されたことを示している。そして、診療プロセス情報３４は、その診療プロセス情報３４に含まれる各診療情報３６が示す一連の診療行為（診療プロセス）を示している。診療プロセス情報３４は、具体的には、例えば、ある病気にかかった患者に対して行われた一連の診療行為（診療プロセス）を示している。なお、情報処理装置１０の制御部１２が、通信手段を介して接続されている電子カルテシステムやオーダー管理システムなどから取得する情報に基づいて診療プロセス情報３４や診療情報３６を生成して、プロセス情報記憶部２０に出力するようにしてもよい。
【００２１】
作業構造基礎情報記憶部２２には、予め、後述する作業構造情報の構造を基礎付ける情報である作業構造基礎情報が記憶されている。本実施形態では、作業構造基礎情報記憶部２２には、例えば、図５に例示する診療構造基礎情報４４が記憶されている。図５に例示するように、診療構造基礎情報４４は、例えば、木構造のデータであり、要素（ノード）４６、及び、要素４６間の関係（例えば、親子関係）を示すリンク４８、を含んで構成されている。図５に例示する診療構造基礎情報４４は、親の要素４６と関連づけられていない要素４６（根要素４６ａ）をただ１つ含んでいる。そして、根要素４６ａ以外のそれぞれの要素４６（子の要素４６）は、１つの親の要素４６と関連づけられている。また、診療構造基礎情報４４は、子の要素４６が関連づけられていない要素４６（葉要素４６ｂ）を少なくとも１つ含んでいる。そして、葉要素４６ｂ以外のそれぞれの要素４６（親の要素４６）は、少なくとも１つの子の要素４６と関連づけられている。
【００２２】
図５に例示する診療構造基礎情報４４では、根要素４６ａが、この診療構造基礎情報４４全体が示しているものを表している。具体的には、例えば、図５に例示する診療構造基礎情報４４の根要素４６ａの値は、「診療プロセス」となっている。このことは、この診療構造基礎情報４４が診療プロセスに対応していることを示している。
【００２３】
そして、図５に例示する診療構造基礎情報４４では、根要素４６ａ以外の要素４６は、時期を示している（以下、時期を示す要素４６を時期要素４６ｃと呼ぶこととする）。そして、図５に例示する診療構造基礎情報４４では、親の時期要素４６ｃが示す時期は、子の時期要素４６ｃが示す時期を代表する時期（例えば、包括する時期）を示している。図５に例示する診療構造基礎情報４４は、診療プロセスにおける手術日を基準とした木構造となっている。図５に例示する診療構造基礎情報４４は、根要素４６ａの子の要素４６として、それぞれ値が「手術日前」、「手術日当日」、「手術日後」である３つの時期要素４６ｃを含んでいる。そして、図５に例示する診療構造基礎情報４４は、値が「手術日前」である時期要素４６ｃの子の要素４６として、それぞれの値が「一週間以上前」、「数日前」、「２，３日前」、「手術日前日」である４つの時期要素４６ｃを含んでいる。また、図５に例示する診療構造基礎情報４４は、値が「手術日後」である時期要素４６ｃの子の要素４６として、それぞれの値が「手術日翌日」、「２，３日後」、「数日後」、「一週間以上後」である４つの時期要素４６ｃを含んでいる。
【００２４】
ここで、本実施形態に係る情報処理装置で行われる処理の流れの一例を、図６に例示するフロー図を参照しながら説明する。
【００２５】
まず、プロセス情報取得部２４が、プロセス情報記憶部２０に記憶されている診療プロセス情報３４のうちから、利用者により指定される検索条件（例えば、特定の手術や薬剤の処方などに関する条件）に基づいて特定される、処理の対象となる少なくとも１つのプロセス情報（本処理例では、例えば、診療プロセス情報３４）を取得する（Ｓ１０１）。
【００２６】
そして、作業構造情報生成部２６が、作業構造基礎情報（本処理例では、例えば、診療構造基礎情報４４）に基づいて、Ｓ１０１に例示する処理で取得したそれぞれの診療プロセス情報３４に対応する作業構造情報（本処理例では、例えば、図７に例示する診療構造情報５０）を生成する（Ｓ１０２）。
【００２７】
図７は、診療構造情報５０のデータ構造の一例を示す図である。作業構造情報（例えば、診療構造情報５０）は、作業（例えば、診療行為）とその作業が行われる時期との関係を構造化した情報である。そして、作業構造情報（例えば、診療構造情報５０）は、例えば、その一部に作業構造基礎情報（例えば、診療構造基礎情報４４）の少なくとも一部を含んでいる。
【００２８】
図７に例示するように、作業構造情報（例えば、診療構造情報５０）は、少なくとも１つの作業要素（例えば、診療行為要素４６ｄや診療明細要素４６ｅ）と、少なくとも１つの時期要素４６ｃと、を含んでいる。図７に例示するように、診療構造情報５０は、時期要素４６ｃの子の要素４６として作業要素（例えば、診療行為要素４６ｄ）を含んでいる。また、図７に例示する診療構造情報５０の葉要素４６ｂは、診療明細要素４６ｅとなっている。
【００２９】
作業要素は、プロセス情報に含まれる各作業情報が示す作業に対応する。具体的には、例えば、診療行為要素４６ｄは、診療プロセス情報３４に含まれる各診療情報３６に含まれる診療行為情報３８に対応する。そして、診療行為要素４６ｄに子の要素４６として関連付けられる診療明細要素４６ｅは、この診療行為要素４６ｄに対応する診療行為情報３８に関連付けられる診療明細情報４２に対応している。
【００３０】
また、作業構造情報は、作業が行われる時期（例えば、診療行為が行われる時期）に対応する少なくとも１つの時期要素４６ｃを含んでいる。
【００３１】
そして、作業構造情報に含まれる作業要素は、対応する時期要素４６ｃとリンク４８により関連付けられている。すなわち、リンク４８により作業要素（例えば、診療行為要素４６ｄ）に関連付けられている時期要素４６ｃは、作業要素が示す作業が行われる時期（例えば、診療行為が行われる時期）を示している。
【００３２】
そして、作業構造情報は、子の時期要素４６ｃそれぞれが示す時期を代表する時期を示す代表時期要素を含んでいる。そして、代表時期要素と、その子の要素４６である少なくとも１つの時期要素４６ｃとは、リンク４８により関連付けられている。図７に例示する診療構造情報５０では、値が「２，３日前」である時期要素４６ｃは、値が「３日前」である時期要素４６ｃ及び値が「２日前」である時期要素４６ｃの親の要素４６であり、これら２つの時期要素４６ｃが示す時期を代表する時期を示す要素４６である代表時期要素となっている。そして、値が「２，３日前」である時期要素４６ｃの親の要素４６である、値が「手術日前」である時期要素４６ｃは、値が「数日前」である時期要素４６ｃ、値が「２，３日前」である時期要素４６ｃ、及び、値が「手術日前日」である時期要素４６ｃの親の要素４６であり、これら３つの時期要素４６ｃが示す時期を代表する時期を示す代表時期要素となっている。
【００３３】
また、作業構造情報（例えば、診療構造情報５０）は、作業が行われる期間が共通することを示す期間共通要素４６ｆ（例えば、値が「日」である期間共通要素４６ｆ）を含んでいてもよい。また、このように、期間共通要素４６ｆは、期間の長さを示す名称と関連づけられていてもよい。そして、期間共通要素４６ｆに関連づけられている作業要素は、その期間の長さの範囲において（例えば、期間の単位の範囲において）、行われる期間が共通する（例えば、同日に行われる）ことを示していてもよい。なお、期間共通要素４６ｆに対応する期間は、「時間」などでもよい。また、作業構造情報（例えば、診療構造情報５０）が複数の種類の期間共通要素４６ｆを含んでいてもよい。
【００３４】
ここで、作業構造情報生成部２６が、Ｓ１０２に例示する処理において、診療プロセス情報３４に含まれる各診療情報３６について行う処理の流れの一例を、図８のフロー図を参照しながら説明する。なお、本処理例において、作業構造情報生成部２６は、予め、診療構造基礎情報４４の複製を生成している。
【００３５】
まず、作業構造情報生成部２６は、診療情報３６に含まれる診療時期情報４０が示す日時と手術日との日時の差（本処理例では、例えば、日数の差）を算出する（Ｓ２０１）。作業構造情報生成部２６は、例えば、記憶部１４や通信手段により接続されたサーバなどに記憶されている電子カルテなどの情報に基づいて、診療情報３６に含まれる診療時期情報４０が示す日時と手術日と日数の差を算出する。なお、診療情報３６に病気のコードが関連付けられており、この病気における重要な診療行為（例えば、処置行為）を示す情報が記憶部１４に記憶されている際には、作業構造情報生成部２６は、重要な診療行為が行われた日を手術日とみなしてもよい。
【００３６】
作業構造情報生成部２６は、特定された差分の日数に基づいて、診療情報３６に対応する、診療構造基礎情報４４の複製の葉要素４６ｂである時期要素４６ｃを特定する（Ｓ２０２）。そして、作業構造情報生成部２６は、特定された日数の差に対応する時期要素４６ｃ（例えば、値が「５日前」である時期要素４６ｃ）を、特定された時期要素４６ｃの子の要素４６としてこの複製に追加する（Ｓ２０３）。なお、診療構造基礎情報４４の複製に、この時期要素４６ｃが既に追加されている場合には、作業構造情報生成部２６は、Ｓ２０３に例示する処理を実行しない。
【００３７】
そして、作業構造情報生成部２６は、期間の長さを示す名称に関連付けられている期間共通要素４６ｆ（例えば、値が「日」である期間共通要素４６ｆ）を、追加された時期要素４６ｃの子の要素４６としてこの複製に追加する（Ｓ２０４）。そして、作業構造情報生成部２６は、この診療情報３６に含まれる診療行為情報３８に対応する診療行為要素４６ｄを、この追加された期間共通要素４６ｆの子の要素４６としてこの複製に追加する（Ｓ２０５）。そして、作業構造情報生成部２６は、この診療情報３６に含まれる少なくとも１つの診療明細情報４２に対応する診療明細要素４６ｅを、この診療行為要素４６ｄの子の要素４６としてこの複製に追加する（Ｓ２０６）。
【００３８】
なお、上述のＳ２０４に例示する処理において、行われた期間が共通する（例えば、同日に行われた）診療行為に対応する診療行為要素４６ｄの親の要素４６である期間共通要素４６ｆが既に存在する場合には、作業構造情報生成部２６が、その期間共通要素４６ｆを特定するようにしてもよい。そして、Ｓ２０５に例示する処理において、作業構造情報生成部２６が、その特定された期間共通要素４６ｆの子の要素４６として診療行為要素４６ｄを追加するようにしてもよい。また、予め定められた条件を充足する場合（例えば、関連づけられる診療行為要素４６ｄが行われた期間が共通することが予め判明している場合（例えば、値が「手術日前日」である時期要素４６ｃに診療行為要素４６ｄが関連づけられる場合））には、作業構造情報生成部２６は、上述のＳ２０４に例示する処理を実行しなくてもよい。
【００３９】
作業構造情報生成部２６は、上述のＳ２０１〜Ｓ２０６に例示する処理を各診療情報３６について繰り返すことにより、診療プロセス情報３４に対応する、図７に例示する診療構造情報５０を生成する。なお、作業構造情報生成部２６は、上述の処理において診療行為要素４６ｄと関連づけられてない時期要素４６ｃについては、診療構造情報５０から削除する。
【００４０】
そして、作業構造情報生成部２６は、Ｓ１０２に例示する処理で生成される少なくとも１つの作業構造情報（本処理例では、診療構造情報５０）を作業構造情報記憶部２８に出力する（Ｓ１０３）。すなわち、作業構造情報記憶部２８は、少なくとも１つの作業構造情報（本処理例では、診療構造情報５０）を記憶する。
【００４１】
そして、特徴抽出部３０が、作業構造情報記憶部２８に記憶されている少なくとも１つの作業構造情報（本処理例では、診療構造情報５０）に基づいて、作業とその作業が行われる時期との関係の特徴を表す特徴情報５２（図９参照）を生成する（Ｓ１０４）。図９は、特徴情報５２のデータ構造の一例を示す図である。特徴抽出部３０は、例えば、公知のサブツリーマイニングなどのパターンマイニングの技術により、少なくとも１つの診療構造情報５０に共通する特徴を示す特徴情報５２を生成する。特徴抽出部３０は、例えば、予め定められた条件を充足する（例えば、診療構造情報５０に共通して存在する数が、予め定められた閾値や利用者により指定される閾値以上である）部分構造（例えば、部分木）を抽出することにより、特徴情報５２を生成する。なお、特徴抽出部３０が、診療構造情報５０の一覧をディスプレイなどのＵＩ部１６に出力して、利用者から条件を受け付けて、その条件を充足する部分構造を診療構造情報５０から抽出することにより特徴情報５２を生成してもよい。
【００４２】
特徴抽出部３０は、Ｅｍｂｅｄｄｅｄ  Ｓｕｂｔｒｅｅ  Ｍｉｎｉｎｇを用いると、中間の要素４６が省略された部分木を特徴情報５２として生成する。特徴抽出部３０は、例えば、ある診療構造情報５０では「３日前」に行われた診療行為が、他の診療構造情報５０では「２日前」に行われている場合には、値が「２，３日前」である時期要素４６ｃ、値が「日」である時期要素４６ｃ、診療行為要素４６ｄの、順にリンク４８で関連づけられた、中間の要素４６が省略された部分木を含む特徴情報５２を生成する。ここで、特徴抽出部３０が、予め定められた条件を充足する、注目する標識や名称に関連づけられており、かつ、予め定められた条件を充足する親の要素４６と子の要素４６との組合せを特定してもよい。そして、特徴抽出部３０が、その親の要素４６の子孫の要素４６（リンク４８を子の要素４６の方向にたどってたどりつける要素４６）であり、かつ、その子の要素４６の先祖の要素４６（リンク４８を親の要素４６の方向にたどってたどりつける要素４６）である、予め定められた条件を充足する中間の要素４６を含む特徴情報５２を生成してもよい。なお、特徴抽出部３０は、Ｉｎｄｕｃｅｄ  Ｓｕｂｔｒｅｅ  Ｍｉｎｉｎｇを用いると、診療構造情報５０の中間の要素４６を省略されない部分木を含む特徴情報５２を生成する。また、特徴抽出部３０は、Ｕｎｏｒｄｅｒｄ  Ｅｍｂｅｄｄｅｄ  Ｓｕｂｔｒｅｅ  Ｍｉｎｉｎｇを用いると、診療構造情報５０の特徴の抽出の際に、１つの親の要素４６に関連づけられる子の要素４６の順序について考慮されない。
【００４３】
また、特徴抽出部３０は、複数の特徴情報５２を生成して記憶部１４に出力するようにしてもよい。そして、特徴抽出部３０が、予め定められた算出方法や利用者により指定される算出方法により、各特徴情報５２の評価値を算出してもよい。そして、特徴抽出部３０が、評価値に基づいて少なくとも１つの特徴情報５２を選択してもよい。特徴抽出部３０は、例えば、ある処置と薬剤処方とが含まれる特徴情報５２が優先的に選択されるよう評価値を設定した上で、特徴情報５２を選択してもよい。
【００４４】
図９に例示する特徴情報５２は、例えば、「２，３日前」のいずれかの一日のなかで２つの診療行為が行われることなどを示している。
【００４５】
そして、特徴情報出力部３２が、生成された特徴情報５２（あるいは、選択された特徴情報５２）に基づいて表形式の特徴表示画面５４（図１０参照）を生成して出力する（Ｓ１０５）。図１０に例示する特徴表示画面５４は、時期要素４６ｃに対応する時期に関連づけられた、診療行為要素４６ｄに対応する診療行為を示す文字列や診療明細要素４６ｅに対応する診療明細を示す文字列を含んでいる。本処理例では、特徴情報出力部３２は、特徴表示画面５４をディスプレイなどのＵＩ部１６に表示出力する。なお、特徴情報出力部３２は、例えば、図９に例示する木構造で表現された画面をディスプレイなどのＵＩ部１６に表示出力してもよい。
【００４６】
なお、特徴抽出部３０が各特徴情報５２を評価値に関連付けてディスプレイなどのＵＩ部１６に出力してもよい。そして、特徴情報出力部３２が、利用者により選択される特徴情報５２に基づいて表形式の特徴表示画面５４を生成してディスプレイなどのＵＩ部１６に出力するようにしてもよい。
【００４７】
なお、本発明は上記実施形態に限定されるものではない。
【００４８】
例えば、図５に例示する診療構造基礎情報４４では、手術日を基準として時期要素４６ｃが構成されているが、診療構造基礎情報４４の構造（例えば、時期要素４６ｃに対応する時期）は、図５の例には限定されない。例えば、作業構造基礎情報記憶部２２が、患者などの利用者がはじめて病院を訪れた日や入院日や退院日などを基準とした診療構造基礎情報４４を予め記憶していてもよい。また、予め指定された処置や処方が実施される予定日や、実施された日などを基準とした診療構造基礎情報４４を記憶していてもよい。
【００４９】
また、例えば、診療構造基礎情報４４が、図１１に例示するように、各時期要素４６ｃや各代表時期要素に対応する時期が互いに異なる複数の部分木を含んでいてもよい。そして、上述のＳ１０２に例示する処理において、作業構造情報生成部２６が、診療構造基礎情報４４に含まれる各部分木に対して、診療行為情報３８を追加するようにしてもよい。また、作業構造情報生成部２６が、利用者から受け付ける要求に応じて、診療構造基礎情報４４に含まれる時期要素４６ｃに対応する時期を設定するようにしてもよい。また、図１１に例示する診療構造基礎情報４４において、値が「３日前」である時期要素４６ｃ、及び、値が「手術日前日」である時期要素４６ｃに、名称が「手術日前Ａ」である標識を関連づけてもよい。また、値が「一週間以上前」である時期要素４６ｃ、及び、値が「５日以上前」である時期要素４６ｃに、名称が「手術日前Ｃ」である標識を関連づけてもよい。また、値が「一週間前まで」である時期要素４６ｃ、及び、値が「４日前まで」である時期要素４６ｃに、名称が「手術日前Ｂ」である標識を関連づけてもよい。また、値が「３日後まで」である時期要素４６ｃ、及び、値が「手術日翌日」である時期要素４６ｃに、名称が「手術日後Ａ」である標識を関連づけてもよい。また、値が「一週間後まで」である時期要素４６ｃ、及び、値が「４日後まで」である時期要素４６ｃに、名称が「手術日後Ｂ」である標識を関連づけてもよい。値が「一週間以上後」である時期要素４６ｃ、及び、値が「５日後以降」である時期要素４６ｃに、名称が「手術日後Ｃ」である標識を関連づけてもよい。そして、作業構造情報生成部２６が、上述の診療構造基礎情報４４に基づいて診療構造情報５０を生成してもよい。また、特徴抽出部３０が、このようにして生成される診療構造情報５０に含まれる標識の名称に基づいて特徴情報５２を生成してもよい。なお、図１１の例では、所定の要素（ノード）から子ノードへの分岐数が最大で３であり、子ノード数も最大で３となっているが、あくまで例示であり、分岐数、子ノード数とも、最大数はこれに限定されるものではない。
【００５０】
また、作業構造基礎情報記憶部２２が複数の診療構造基礎情報４４を予め記憶していてもよい。そして、上述のＳ１０２に例示する処理において、作業構造情報生成部２６が、利用者により選択される診療構造基礎情報４４に基づいて、診療構造情報５０を生成してもよい。また、診療構造基礎情報４４が、パラメータにより決定される時期要素４６ｃを含んでいてもよい。この場合、作業構造情報生成部２６が、上述のＳ１０２に例示する処理において診療構造基礎情報４４の複製を生成する際に、利用者からパラメータを受け付けて、そのパラメータに応じた値が、パラメータにより決定される時期要素４６ｃの値として設定された診療構造基礎情報４４の複製を生成してもよい。
【００５１】
また、図１２に例示するように、作業構造情報生成部２６が、１つの診療明細情報４２に基づいて、予め定められた規則に従って互いに異なる観点の複数の診療明細要素４６ｅを生成して、各診療明細要素４６ｅ同士がリンク４８により関連付けられる診療構造情報５０を生成してもよい。図１２に例示する診療構造情報５０は、行為の分類を示す診療明細要素４６ｅ、行為の名称を示す診療明細要素４６ｅ、薬剤の名称及び量を示す診療明細要素４６ｅ、薬剤の名称及び通常の量に対する割合を示す診療明細要素４６ｅ、薬剤の名称を示す診療明細要素４６ｅ、薬剤の効能を示す診療明細要素４６ｅ、の順に親から子への向きにリンク４８で関連づけられている診療明細要素４６ｅを含んでいる。そして、図１２に例示する診療構造情報５０では、診療明細要素４６ｅのうちの１つが、診療行為要素４６ｄとリンク４８により関連づけられている。そして、作業構造情報生成部２６が、時期要素４６ｃ、診療行為要素４６ｄ、の順にリンク４８により関連づけられた、これらの要素４６を含む診療構造情報５０を生成してもよい。なお、複数の診療明細要素４６ｅのリンクの順序や、時期要素４６ｃと診療行為要素４６ｄのリンクの順序は、各要素からの分岐の無い範囲では、図１２の例に限らず、どのような順序に変更してもよい。図１２に例示する診療構造情報５０については、時期要素４６ｃの記載を省略している。また、図１２では３つの診療構造情報５０を例として挙げている。そして、図１３に、特徴抽出部３０が図１２に例示する３つの診療構造情報５０に基づいて生成する特徴情報５２の一例を示す。図１３に例示する特徴情報５２については、時期要素４６ｃの記載を省略している。
【００５２】
また、例えば、プロセス情報記憶部２０、作業構造基礎情報記憶部２２、作業構造情報記憶部２８、の少なくとも一部を、情報処理装置１０とインターネットなどの通信手段により接続された外部装置において実現した分散型情報処理システムに本実施形態を応用してもよい。また、本実施形態を診療行為以外の作業一般について応用してもよい。
【符号の説明】
【００５３】
１０  情報処理装置、１２  制御部、１４  記憶部、１６  ユーザインタフェース（ＵＩ）部、２０  プロセス情報記憶部、２２  作業構造基礎情報記憶部、２４  プロセス情報取得部、２６  作業構造情報生成部、２８  作業構造情報記憶部、３０  特徴抽出部、３２  特徴情報出力部、３４  診療プロセス情報、３６  診療情報、３８  診療行為情報、４０  診療時期情報、４２  診療明細情報、４４  診療構造基礎情報、４６  要素（ノード）、４６ａ  根要素、４６ｂ  葉要素、４６ｃ  時期要素、４６ｄ  診療行為要素、４６ｅ  診療明細要素、４６ｆ  期間共通要素、４８  リンク、５０  診療構造情報、５２  特徴情報、５４  特徴表示画面。
【図１】
2011003033.tif 000003
【図２】
2011003033.tif 000004
【図３】
2011003033.tif 000005
【図４】
2011003033.tif 000006
【図５】
2011003033.tif 000007
【図６】
2011003033.tif 000008
【図７】
2011003033.tif 000009
【図８】
2011003033.tif 000010
【図９】
2011003033.tif 000011
【図１０】
2011003033.tif 000012
【図１１】
2011003033.tif 000013
【図１２】
2011003033.tif 000014
【図１３】
2011003033.tif 000015